(57)【要約】【課題】  紫外線（ＵＶＡ、ＵＶＢ）および可視光線を、陸上生物の飼育環境等に均一に照射することが容易な発光装置等を提供すること。【解決手段】  ２８０〜３１５ｎｍ の第１波長領域Ｌ１を有する紫外線を発光し、第１波長領域Ｌ１に第１ピーク波長を有する第１発光素子３Ａと、第１波長領域Ｌ１よりも長波長であるとともに４００ｎｍ以下である第２波長領域Ｌ２を有する紫外線を発光し、第２波長領域Ｌ２に第２ピーク波長を有する第２発光素子３Ｂと、第１発光素子３Ａおよび第２発光素子３Ｂが収容された凹部を有する基体２を含むパッケージ（２）と、凹部内において第１発光素子３Ａおよび第２発光素子３Ｂの上方に位置しており、第１波長領域Ｌ１および第２波長領域Ｌ２の少なくとも一方の紫外線を可視光線に変換して放射する蛍光体７とを備える発光装置１等である。【選択図】  図２
2019175926.tif 000002
【特許請求の範囲】
【請求項１】
２８０〜３１５ｎｍの第１波長領域を有する紫外線を発光し、前記第１波長領域に第１ピーク波長を有する第１発光素子と、
前記第１波長領域よりも長波長であるとともに４００ｎｍ以下である第２波長領域を有する紫外線を発光し、前記第２波長領域に第２ピーク波長を有する第２発光素子と、
前記第１発光素子および前記第２発光素子が収容された凹部を有する基体を含むパッケージと、
前記凹部内において前記第１発光素子および前記第２発光素子の上方に位置しており、前記第１波長領域および前記第２波長領域の少なくとも一方の紫外線を可視光線に変換して放射する蛍光体とを備える発光装置。
【請求項２】
複数の前記第１発光素子および複数の前記第２発光素子が、前記凹部の底面に並んで位置している請求項１記載の発光装置。
【請求項３】
前記第１発光素子と前記第２発光素子とが互いに隣り合って位置している請求項２記載の発光装置。
【請求項４】
前記蛍光体が放射する可視光が４００〜６００ｎｍの波長領域において最大ピーク波長を有する請求項１〜請求項３のいずれか１項記載の発光装置。
【請求項５】
請求項１〜請求項４のいずれか１項記載の複数の発光装置と、
該複数の発光装置が実装された実装板とを備える照明装置。
【発明の詳細な説明】
【技術分野】
【０００１】
本発明は、発光素子および蛍光体を含む発光装置および照明装置に関する。
【背景技術】
【０００２】
ＬＥＤ（Laser Emitting Diode）等の半導体発光素子（以下、単に発光素子という）を光源とする発光装置および発光装置を基板等に実装した照明装置が用いられている。このような発光装置等は、例えば、太陽光等の自然光の代替として、各種の製造工程で使用される場合がある。近年、上記の発光装置および照明装置を、屋内において植物または動物を栽培または飼育する際に、太陽光の代わりに用いることが試みられるようになってきている。例えば特許文献１では、赤色光と青色光との合成光が植物育成用に照射される照明装置の例が開示されている。
【先行技術文献】
【特許文献】
【０００３】
【特許文献１】特開2013−046621号公報
【発明の概要】
【発明が解決しようとする課題】
【０００４】
従来技術の発光装置を含む照明装置では、動物が移動する可能性がある比較的広い範囲に、太陽光のスペクトラムに近似したスペクトルを有する可視光線と紫外線とを均一に照射することが難しい可能性があった。
【０００５】
例えば特許文献１に例示された照明装置では、可視光領域の光エネルギーが太陽光に比べて小さいため、別途、太陽光に近似した光エネルギーを有する別光源を配置する必要がある。この場合、別光源の配置位置等に応じて、可視光線と紫外線との照射位置に偏りが生じる可能性がある。
【課題を解決するための手段】
【０００６】
本発明の１つの態様の発光装置は、２８０〜３１５ｎｍ の第１波長領域を有する紫外
線を発光し、前記第１波長領域に第１ピーク波長を有する第１発光素子と、前記第１波長領域よりも長波長であるとともに４００ｎｍ以下である第２波長領域を有する紫外線を発光し、前記第２波長領域に第２ピーク波長を有する第２発光素子と、前記第１発光素子および前記第２発光素子が収容された凹部を有する基体を含むパッケージと、前記凹部内において前記第１発光素子および前記第２発光素子の上方に位置しており、前記第１波長領域および前記第２波長領域の少なくとも一方の紫外線を可視光に変換して放射する蛍光体とを備える。
【０００７】
本発明の１つの態様の照明装置は、上記構成の複数の発光装置と、該複数の発光装置が実装された実装板とを備える。
【発明の効果】
【０００８】
本発明の１つの態様の発光装置によれば、紫外線（いわゆる紫外線Ａおよび紫外線Ｂの両方）と可視光線とを１つの発光装置から照射することができる。そのため、紫外線と可視光線との照射位置の偏り抑制に有効な照明装置の形成が容易な発光装置を提供することができる。
【０００９】
本発明の１つの態様の照明装置によれば、上記構成の発光装置を備えることから、比較
的広い範囲への紫外線および可視光線の均一な照射が容易であり、例えば陸上動物の飼育等に適した照明装置を提供することができる。
【図面の簡単な説明】
【００１０】
【図１】本発明の実施形態の発光装置を示す斜視図である。
【図２】図１に示す発光装置を仮想線で示す平面で切断したときの断面図である。
【図３】図２に示す発光装置の一部を拡大して示す断面図である。
【図４】（ａ）〜（ｃ）は、それぞれ、図１に示す発光装置を上から見たときの例を模式的に示す上面図である。
【図５】本発明の実施形態の発光装置における外部放射光のスペクトルを示すグラフである。
【図６】図５に太陽光のスペクトラムを加えて示すグラフである。
【図７】本発明の実施形態の照明装置を示す斜視図である。
【発明を実施するための形態】
【００１１】
本発明の実施形態の発光装置および照明装置を、添付の図面を参照して説明する。以下の説明における上下の区別は便宜的ものであり、発光装置および照明装置が実際に用いられるときの上下を規定するものではない。なお、以下の説明における「飼育（栽培）に適する」こと等は、飼育または栽培しようとする陸上動物または植物等の生物について、それらの死滅（枯死）等がなく、正常に成育できる状態であることを意味する。
【００１２】
図１は、本発明の実施形態の発光装置１を示す斜視図である。図２は、図１に示す発光装置１を仮想線で示す平面で切断したときの断面図である。図３は、図２に示す発光装置１の一部を拡大して示す断面図である。図４（ａ）〜（ｃ）は、それぞれ、図１に示す発光装置を見たときの例を示す上面図である。図５は、本発明の実施形態の発光装置における外部放射光のスペクトルを示すグラフである。図６は、図５に太陽光のスペクトルを加えて示すグラフである。図７は、本発明の実施形態の照明装置10を示す斜視図である。これらの図において、発光装置１は、基体２と、第１発光素子３Ａと、第２発光素子３Ｂと、枠体４と、封止部材５と、被覆材６と、蛍光体７とを備えている。基体２は、第１発光素子３Ａおよび第２発光素子３Ｂを収容するパッケージの主要な部材であり、本実施形態では基体２をパッケージ（２）として説明する。
【００１３】
本実施形態において、発光装置１は、基体２と、基体２に搭載された第１発光素子３Ａおよび第２発光素子３Ｂと、基体２の上面に位置し、平面視で発光素子３を囲んでいる枠体４と、枠体４に内側に位置して第１発光素子３Ａおよび第２発光素子３Ｂを封止している封止部材５と、封止部材５を介して発光素子３上に位置している被覆材６とを有している。また、被覆材６は、第１発光素子３Ａおよび第２発光素子３Ｂの上方に位置し、蛍光体７を含んでいる。第１発光素子３Ａおよび第２発光素子３Ｂは、例えば、ＬＥＤ（発光ダイオード、Light Emitting Diode）であって、半導体を用いたｐｎ接合中の電子と正孔が再結合することによって、外部に向かって光を放出する。第１発光素子３Ａおよび第２発光素子３Ｂは、それぞれの放射する光の波長が互いに異なり、その詳細については後述する。以下の説明において、第１発光素子３Ａおよび第２発光素子３Ｂを区別せず、単に発光素子３として総称する場合がある。
【００１４】
基体２は、絶縁性の基板であって、例えば平面視で矩形状であり、発光素子３が搭載されている第１面（例えば上面）と、反対側の第２面（例えば下面）とを有している。基体２は、例えば、酸化アルミニウム質焼結体、ムライト質焼結体、窒化アルミニウム質焼結体または窒化ケイ素質焼結体等のセラミック材料、またはガラスセラミック焼結体等の材料からなる。また、基体２は、これらの材料のうち複数の材料を混合した複合系材料からなるものでもよい。また、基体２は、基体２の熱膨張率を調整することができる金属酸化
物等の微粒子（フィラー粒子）を分散させた高分子樹脂からなるものでもよい。
【００１５】
基体２は、例えば、酸化アルミニウム質焼結体からなる場合であれば、次の工程で製作することができる。まず、酸化アルミニウムおよび酸化ケイ素等の原料粉末に有機溶剤およびバインダを添加して混練したスラリーをドクターブレード法等の方法でシート状に成形してセラミックグリーンシートを作製する。次に、セラミックグリーンシートを所定の形状および寸法に切断して複数のシートを作製する。その後、これらのシートを必要に応じて複数層積層し、約1300〜1600℃の温度で一体的に焼成する。以上の工程によって、基体２を製作することができる。
【００１６】
基体２には、少なくとも基体２の上面または内部には、基体２の枠体４で囲まれた部分の内外を電気的に導通する配線導体（図示せず）が位置している。配線導体は、例えば、タングステン、モリブデン、マンガン、銅、銀、パラジウムおよび金等の材料から適宜選択された導電材料からなる。
【００１７】
基体２がセラミック材料からなる場合は、配線導体は、例えば次のようにして形成することができる。まず、タングステン等の粉末に有機溶剤を添加して得た金属ペーストを、基体２となる複数のシートにそれぞれ所定パターンで印刷する。その後、複数のシートを積層したものと金属ペーストとを同時焼成することにより、基体２に配線導体を形成することができる。なお、配線導体の表面には、酸化防止または後述するろう材の濡れ性等の特性向上等のために、例えば、ニッケルまたは金等のめっき層が形成されている。
【００１８】
また、基体２の上面等の発光素子３が搭載される面には、基体２上方（外部）に効率よく光を反射させるために、配線導体およびめっき層と間隔を空けて金属反射層（図示せず）が配置されていてもよい。金属反射層は、例えば、アルミニウム、銀、金、銅またはプラチナ（白金）等の金属材料からなる。これらの金属材料は、例えば配線導体と同様のメタライズ層の形態でもよく、めっき層を含む薄膜層の形態でもよい。また、金属反射層は、複数の形態の金属層からなるものでもよい。
【００１９】
第１発光素子３Ａおよび第２発光素子３Ｂは、基体２の上面に搭載されている。発光素子３は、第１発光素子３Ａおよび第２発光素子３Ｂは、それぞれ、基体２の上面に位置する配線導体（または、その表面のめっき層）に、例えば、ろう材または半田を介して電気的および機械的に接続されている。
【００２０】
第１発光素子３Ａおよび第２発光素子３Ｂは、それぞれ、透光性基体と、透光性基体上に位置する光半導体層である発光部とを有している。透光性基体は、有機金属気相成長法または分子線エピタキシャル成長法等の化学気相成長法を用いて、光半導体層を成長させることが可能なものであればよい。透光性基体に用いられる材料としては、例えば、サファイア、窒化ガリウム、窒化アルミニウム、酸化亜鉛、セレン化亜鉛、シリコンカーバイド、シリコンまたはホウ化ジルコニウム等を用いることができる。なお、透光性基体の厚みは、例えば50〜1000μｍである。
【００２１】
光半導体層は、透光性基体上に位置する第１半導体層と、第１半導体層上に位置する発光層と、発光層上に位置する第２半導体層とから構成されている。第１半導体層、発光層および第２半導体層は、例えば、第１発光素子３Ａにおいて、例えば、ガリウムリンまたはガリウムヒ素等のＩＩＩ−Ｖ族半導体、あるいは、窒化アルミニウムガリウム等のＩＩＩ族窒化物半導体等を用いることができる。このように構成された第１発光素子３Ａは280〜315ｎｍの波長（第１波長領域Ｌ１）の励起光（第１励起光）を発することができる。
【００２２】
また、第２発光素子３Ｂにおいても、第１半導体層、発光層および第２半導体層は、ガ
リウムリンまたはガリウムヒ素等のＩＩＩ−Ｖ族半導体、あるいは、窒化ガリウム、窒化アルミニウムまたは窒化インジウム等のＩＩＩ族窒化物半導体等を用いることができる。
【００２３】
なお、第１半導体層の厚みは、例えば１〜５μｍであって、発光層の厚みは、例えば25〜150ｎｍであって、第２半導体層の厚みは、例えば50〜600ｎｍである。また、このように構成された第２発光素子３Ｂは、第１波長領域よりも長波長であるとともに400ｎｍ以
下の波長（第２波長領域Ｌ２）の励起光（第２励起光）を発することができる。
【００２４】
これらの第１励起光および第２励起光の一部は、封止材５および被覆材６を透過して外部に放射される。すなわち、実施形態の発光装置１は、紫外線領域の光（いわゆる紫外線Ａ、Ultraviolet A、ＵＶＡ、および紫外線Ｂ、Ultraviolet B、ＵＶＢ）を放射する。
【００２５】
なお、第１発光素子３Ａは、第１波長領域Ｌ１の全領域にわたる発光スペクトルを有するものである必要はなく、第１波長領域Ｌ１の一部の領域において発光するものであって構わない。例えば図５および図６に示す例では、約290〜330ｎｍの波長領域において、第１発光素子３Ａが有効に発光している。
【００２６】
また、第２発光素子３Ｂも、第２波長領域Ｌ２の全領域にわたる発光スペクトルを有するものである必要はなく、第２波長領域Ｌ２の一部の領域において発光するものであって構わない。例えば図５および図６に示す例では、約360ｎｍよりも長波長側（400ｎｍ以下）の波長領域において、発光素子３が有効に発光している。
【００２７】
第１発光素子３Ａは、上記のように第１波長領域Ｌ１の一部の領域において発光するものでも構わないが、少なくとも後述する第１ピーク波長を含む波長領域では発光するものである必要がある。また、第２発光素子３Ｂも、第２波長領域Ｌ２の一部の領域において発光するものでも構わないが、少なくとも後述する第２ピーク波長を含む波長領域では発光するものである必要がある。
【００２８】
また、第１発光素子３Ａは、第１波長領域Ｌ１において第１ピーク波長を有している。例えば図５および図６に示す例では、第１発光素子３Ａは、約290〜310ｎｍの波長領域において、第１ピーク波長を有している。第２発光素子３Ｂについては、第２波長領域Ｌ２において第２ピーク波長を有している。例えば図５および図６に示す例では、第２発光素子３Ｂは、約380〜390ｎｍの波長領域において、第２ピーク波長を有している。すなわち、紫外線を放射する発光素子３は、紫外線領域においてＵＶＡおよびＵＶＢそれぞれの領域において互いに独立した２つのピーク（第１ピーク波長および第２ピーク波長）を有している。
【００２９】
枠体４は、例えば、酸化アルミニウム、酸化チタン、酸化ジルコニウムまたは酸化イットリウム等のセラミック材料からなる。また、枠体４は、多孔質材料でもよい。また枠体４は、酸化アルミニウム、酸化チタン、酸化ジルコニウムまたは酸化イットリウム等の金属酸化物からなる粉末を混合させた樹脂材料からなるものでもよい。
【００３０】
枠体４は、基体２の上面に、例えば樹脂、ろう材または半田等を介して接続されている。枠体４は、発光素子３と間隔を空けて、発光素子３を取り囲むように基体２の上面に設けられている。また、枠体４は、傾斜する内壁面が、基体２の主面から遠ざかるに従い、外方に向かって広がるように形成されている。枠体４の外側に広がるように傾斜した内壁面が、発光素子３から発せられる励起光を外部に放射する反射面として機能する。なお、平面視して、枠体４の内壁面の形状を円形とすると、発光素子３が放射する光を一様に反射面にて外方に向かって反射させることができる。
【００３１】
また、枠体４の傾斜している内壁面は、例えば、焼結材料からなる枠体４の内周面にタングステン、モリブデン、マンガン等から成る金属層と、金属層を被覆するニッケルまたは金等から成るめっき層を形成してもよい。このめっき層は、発光素子３の発する光を反射させる機能を有する。なお、枠体４の内壁面の傾斜角度（縦断面視において枠体の内壁面と基体２上面とのなす角の大きさ）は、基体２の主面に対して例えば55〜70度の角度に設定されている。
【００３２】
基体２および枠体４で囲まれる内側の空間には、光透過性の封止部材５が充填されている。封止部材５は、第１発光素子３Ａおよび第２発光素子３Ｂを封止するとともに、それぞれの発光素子３の内部から発せられる光を外部に取り出す。さらに、封止部材５は、第１発光素子３Ａおよび第２発光素子３Ｂそれぞれの外部に取り出された光が透過する機能を備えている。
【００３３】
封止部材５は、基体２および枠体４で囲まれる内側の空間内に、枠体４で囲まれる空間の一部を残して充填されている。封止部材５は、例えば、シリコーン樹脂、アクリル樹脂またはエポキシ樹脂等の透光性の絶縁樹脂や透光性のガラス材料が用いられる。封止部材５の屈折率は、例えば1.4〜1.6に設定されている。
【００３４】
被覆材６は、第１発光素子３Ａおよび第２発光素子３Ｂ全体の上方に位置している。すなわち、被覆材６は、第１発光素子３Ａの上面および第２発光素子３Ｂそれぞれの上面と封止部材５を介して対向している。例えば図２に示すように、被覆材６は、基体２および枠体４で囲まれた内側の空間の上部に、封止部材５の上面に沿って設けられている。被覆材６は、枠体４内に収まるように位置している。被覆材６内には、複数の蛍光体７が分散して存在している。それぞれの蛍光体７は、発光素子３の発する光の波長を変換する機能を有している。
【００３５】
被覆材６は、例えば、フッ素樹脂、シリコーン樹脂、アクリル樹脂またはエポキシ樹脂等の透光性の絶縁樹脂、または透光性のガラス材料からなり、その絶縁樹脂、ガラス材料中に、蛍光体７が含有されている。蛍光体７は、被覆材６中に均一に分散するようにしている。
【００３６】
蛍光体７による波長変換は、第１発光素子３Ａおよび第２発光素子３Ｂが発光した紫外線（ＵＶＡおよびＵＶＢ）を、それぞれ可視光線の領域の波長に変換する。蛍光体７は、第１発光素子３Ａおよび第２発光素子３Ｂから放射された紫外線によって励起されて、第２波長領域Ｌ２よりも長波長である可視光線領域（以下、第３波長領域Ｌ３ともいう）の励起光を放射する。つまり、被覆材６中において、蛍光体７により紫外線の一部が可視光線に変換される。可視光線に変換される紫外線は、上記ＵＶＡおよびＵＶＢそれぞれの一部であってもよく、いずれか一方の一部であってもよい。
【００３７】
第３波長領域Ｌ３は、第２波長領域Ｌ２よりも長波長側であり、例えば400ｎｍ超かつ
約950ｎｍ以下の領域である。なお、図５および図６では、可視光線の領域を大きく超え
る900ｎｍ以上の領域については図示を省略している。
【００３８】
最終的に被覆材６から外部に放射される外部放射光は、上記のように発光素子３から放射された紫外線であるＵＶＡおよびＵＶＢと、蛍光体７から放射された可視光線とを含んでいる。外部放射光のスペクトルは、これらの紫外線および可視光線のスペクトルが合成されたものになる。つまり、発光装置１は、ＵＶＢよりも長波長の紫外線および可視光線の両方を含んだ外部放射光を放射することができる。また、このような発光装置１を含む照明装置10（詳細は後述）によれば、ＵＶＡ、ＵＶＢおよび可視光線の全てを含んだ外部放射光を、比較的広い範囲にほぼ均一に放射することができる。比較的広い範囲とは、例
えば、この発光装置１および照明装置10を用いて、屋内（太陽光の受光が難しい場所）で、飼育しようとする動物が動き回る可能性がある範囲である。また、この範囲は、いわゆる野菜工場または植物工場といった、工場建屋内等の屋内で、比較的広い面積で植物を栽培するために必要な範囲等である。具体的な一例としては、は虫類等の陸上動物が飼育されるゲージ内の全体であり、平面視で１辺の長さが数十ｃｍ〜数ｍである四角形状の範囲（広さ）である。
【００３９】
本実施形態の発光装置１は、紫外線（ＵＶＡおよびＵＶＢ）と可視光線とを１つの発光装置１から照射することができる。そのため、ＵＶＡおよびＵＶＢと可視光線とを均一に照射できる照明装置10を形成することが容易な発光装置１を提供することができる。このような発光装置１およびこれを備える照明装置10は、屋内におけるは虫類等の陸上動物の飼育や植物栽培などに有効である。
【００４０】
ＵＶＡ、ＵＶＢおよび可視光線の全部を含む光が、飼育対象の動物に照射されたときには、動物に対して、屋外における太陽光受光時と同様に、視覚情報を与えることができる。また、飼育対象の動物が、は虫類または両生類であるときには、紫外線（上記ＵＶＡおよびＵＶＢの少なくとも一方）によって、体温調節および成長促進等の生命維持機能を向上させることができる。
【００４１】
また、植物栽培においては、ＵＶＡおよびＵＶＢを含む光が育成対象物に対して程よいストレスを与え、例えば緑黄色野菜などではビタミンＣ含有量が増加することが期待できる。すなわち、比較的広い範囲で栽培される植物に対して、同じ程度に上記のような食物としての特性を向上させることができる。この場合、例えば、より短波長であり光エネルギーが大きいＵＶＢにより光合成を有効に促進することができる。また、ＵＶＡでも光合成を促進することができるとともに、ＵＶＢの割合の抑制により、植物に対するダメージ低減の効果も得ることができる。
【００４２】
上記例において、発光装置１および照明装置10から外部に放射される放射光における可視光線は、そのスペクトルが太陽光のスペクトラムに近似するように設定されてもよい。また、それぞれに放射する蛍光色が互いに異なる複数種の蛍光体７が被覆材６中に配置されていてもよい。
【００４３】
なお、上記発光のスペクトルは、例えば、分光器および制御回路を備える市販の各種測定器で測定することができる。この場合、上記のような比較的広い範囲の数か所でスペクトルを測定して、紫外線と可視光線との両方が、いずれの場所でも均一に照射されているか否かを容易に検知することができる。
【００４４】
図３に示す例では、蛍光体７として４種類の蛍光体７（７ａ、７ｂ、７ｃ、７ｄ）が被覆材６中に位置している。４種類の蛍光体７（７ａ、７ｂ、７ｃ、７ｄ）は、例えば、それぞれ青色を示す第１蛍光体７ａ、青緑色を示す第２蛍光体７ｂ、黄色を示す第３蛍光体７ｃ、および赤色を示す第４蛍光体７ｄである。青色、青緑色、黄色および赤色の発光強度（強さの割合）を適宜調整することにより、種々の色の可視光線を発光装置１から外部に放射させることができる。可視光線は、太陽光のスペクトルに近似したスペクトルを有する白色光でもよい。第１蛍光体７ａは、例えば約400〜500ｎｍの波長の光を放射する。第２蛍光体７ｂは、例えば約450〜600ｎｍの波長の光を放射する。第３蛍光体７ｃは、例えば約550〜650ｎｍの波長の光を放射する。第４蛍光体７ｄは、例えば約600〜750ｎｍの波長の光を放射する。
【００４５】
複数種の蛍光体７が配置されている場合は、例えば、青色を示す第１蛍光体７ａは、（Ｓｒ，Ｃａ，Ｂａ）１０（ＰＯ４）６Ｃｌ２：Ｅｕであり、青緑色を示す第２蛍光体７ｂ
は、Ｓｒ４Ａｌ１４Ｏ２５：Ｅｕである。黄色を示す第３蛍光体７ｃは、ＳｒＳｉ２（Ｏ，Ｃｌ）２Ｎ２：Ｅｕである。赤色を示す第４蛍光体７ｄは、ＣａＡｌＳｉ（ＯＮ）３：Ｅｕである。かっこ内の元素の割合は、分子式の範囲内であれば任意に設定して構わない。
【００４６】
実施形態の発光装置１およびこれを含む照明装置10において、蛍光体７は、第３波長領域Ｌ３に含まれる400〜650ｎｍにおいて最大ピーク波長ＬＬを有するものであってもよい。最大ピーク波長は、蛍光体７から放射される光のうち最も光強度が大きいときの波長である。例えば上記のように第１蛍光体７ａ、第２蛍光体７ｂ、第３蛍光体７ｃ、第４蛍光体７ｄが配置されている場合であれば、第１蛍光体７ａおよび第２蛍光体７ｂから放射される光の波長領域に最大ピーク波長ＬＬが存在する。図５に示す例の場合であれば、最大ピーク波長ＬＬは、約460ｎｍである。
【００４７】
蛍光体７が、第３波長領域Ｌ３に含まれる400〜650ｎｍにおいて最大ピーク波長ＬＬを有するものである場合には、発光装置１としての外部への放射光のスペクトル（可視光線領域）を太陽光のスペクトルに近似させることが容易である。すなわち、この場合には、青色〜青緑領域における蛍光体７から放射される光の強度が比較的大きい。また、この領域から、より長波長側の領域にかけて発光スペクトルがゆるやかに減衰する。したがって、このようなスペクトルである太陽光のスペクトルに、発光装置１の発光のスペクトルを近似させることが容易になる。
【００４８】
言い換えれば、前述したような、太陽光のスペクトルに近似した可視光領域におけるスペクトルは、例えば上記のような蛍光体７の存在によって実現することができる。これにより、屋外における太陽光受光時と同様の視覚情報の飼育対象への付与、および紫外線による体温調節等の生命維持機能の向上に有効な発光装置１とすることができる。飼育対象の動物は、例えば上記のように、は虫類または両生類である。
【００４９】
また、実施形態の発光装置１およびこれを含む照明装置10において、それぞれ複数の第１発光素子３Ａおよび第２発光素子３Ｂ（発光素子３）が、凹部の底面に並んで位置していてもよい。複数の発光素子３の並びは、例えば、図４（ａ）に示すように直線状（１つの列または行）でもよく、図４（ｂ）に示すように互いに直交し合う縦横の並び（格子状）でもよく、図４（ｃ）に示すように互いに斜めに交差し合う並び（斜め格子状）でもよい。発光素子３の並びによる、発光装置１から外部への紫外線および可視光線の放射に偏りが生じる可能性は小さい。なお、図４（ａ）〜（ｃ）では、見やすくするために、被覆材６および蛍光体７等の部分を省略している。また、これらの図は断面図ではないが、第１発光素子３Ａおよび第２発光素子３Ｂ相互の識別のため、互いに異なる斜線によるハッチングを施している。
【００５０】
ただし、凹部内から外部への光の放射をより均一にすることを考慮して、凹部の底面の全体に、格子状または斜め格子状に複数の発光素子３が位置しているように設定しても構わない。また、第１発光素子３Ａおよび第２発光素子３Ｂそれぞれの個数は、外部放射光の光強度、用いる蛍光体７の種類および存在量等に応じて、適宜設定することができる。この場合において、第１発光素子３Ａおよび第２発光素子３Ｂそれぞれの個数は、互いに同じであってもよく、互いに異なっていてもよい。また、凹部底面への複数の発光素子３を搭載するときの作業性、発光素子３と外部との電気接続のための配線導体の位置、および発光素子３から外部への放熱性等を考慮して、複数の発光素子３の位置を設定するようにしてもよい。
【００５１】
また、実施形態の発光装置１において、例えば図４に示す各例のように、第１発光素子３Ａと第２発光素子３Ｂとが互いに隣り合って位置していてもよい。つまり、凹部底面に
それぞれ複数の第１発光素子３Ａと第２発光素子３Ｂとが、この順に並んで位置していてもよい。この場合には、凹部１ａ底面から被覆材６、つまり蛍光体７に向かって、ＵＶＡおよびＵＶＢを、偏りを抑制して放射させることができる。これにより、発光装置１から外部に放射される紫外線（ＵＶＡ、ＵＶＢ）の放射方向による偏りを低減して、さらに紫外線の均一な照射に適した発光装置１とすることができる。
【００５２】
また、この場合には、紫外線（ＵＶＡ、ＵＶＢ）で励起される蛍光体７（７ａ〜７ｄ）により変換されて放射される可視光線の波長および光強度のばらつきの可能性も、より効果的に低減することができる。すなわち、上記のような比較的広い範囲に対する紫外線（ＵＶＡ、ＵＶＢ）および可視光線の均一な照射がより容易な発光装置１とすることができる。
【００５３】
本発明の実施形態の照明装置10を図７に示している。実施形態の照明装置10は、上記いずれかの構成の発光装置１と、発光装置１が実装された実装板11とを備えている。図７に示す例において実装板11は、長方形平板状の基部12と、基部12上に位置して発光装置を封止する透光性の蓋体13とを備えている。また、この実施形態における照明装置10は、実装板11を収容する溝状の部分を有する筐体21と、筐体21の短辺側の端部を塞ぐ一対の端板22とをさらに備えている。
【００５４】
つまり、実施形態の照明装置10は、基本的に、それぞれ上記構成である第１発光素子３Ａ、第２発光素子３Ｂと、基体２および蛍光体７を備えている。また、照明装置10は、複数の第１発光素子３Ａおよび複数の第２発光素子３Ｂが、凹部の底面に並んで位置しているものでもよく、第１発光素子３Ａと第２発光素子３Ｂとが互いに隣り合って位置しているものでもよく、蛍光体７が放射する可視光が400〜600ｎｍの波長領域において最大ピーク波長ＬＬを有するものでもよい。
【００５５】
すなわち、透光性の蓋体13を含む実装板11および筐体21によって構成される実装空間内に、複数の発光装置１が実装されて、陸上生物の飼育等に用いられる照明装置10が構成されている。このような照明装置10によれば、上記構成の発光装置１を含んでいることから、は虫類等の陸上生物の飼育、および比較的広い範囲での植物の栽培等に適した照明装置を提供することができる。
【００５６】
実装板11は、複数の発光装置１を配列して保持する機能を有している。また、実装板11は、発光装置１が発する熱を外部に放散させる機能を有している。実装板11は、例えば、アルミニウム、銅またはステンレス鋼等の金属材料、有機樹脂材料またはこれらを含む複合材料等により形成されている。
【００５７】
この実施形態における実装板11は、平面視において細長い長方形状であり、例えば、長手方向の長さが100〜2000ｍｍである。前述したように、実装板11は、複数の発光装置１
が実装される実装領域を上面に有する基部12と、実装領域を封止する透光性の蓋体13とを含んでいる。また、実装板11は、筐体21の溝状の部分に収容される。溝状の部分の両端がそれぞれ端板22で塞がれて、筐体21内に実装板11およびこれに実装された複数の発光装置１が固定されて収容される。
【００５８】
基部12としては、例えば、リジッド基板、フレキシブル基板またはリジッドフレキシブル基板等のプリント基板が用いられる。基部12に配置された配線パターンと発光装置１における基体２の配線導体とが、半田または導電性接着剤を介して互いに電気的に接続される。外部の電源から基部12を介して伝送された電気信号（電流）が基体２を介して発光素子３に伝わり、発光素子３が発光する。
【００５９】
蓋体13は、発光装置１を封止するとともに、これらの発光装置が放射する外部放射光を外部に透過させる機能を有している。そのため、蓋体13は、この外部放射光が透過する透光性の材料からなる。透光性の材料としては、例えば、アクリル樹脂およびガラス等が挙げられる。蓋体13は、矩形状（基部12と同様の細長い長方形状等）の板体であって、長手方向の長さが、例えば、98〜1998ｍｍに設定されている。
【００６０】
蓋体13は、筐体21の溝状の部分における長手方向一方側または他方側の開口から挿し込まれ、筐体21の長手方向に沿ってスライドされて位置決めされる。前述したように溝状の部分の両端が端板22で塞がれて、筐体21に蓋体13が固定される。すなわち、複数の発光装置１が実装板11に実装され、筐体21および蓋体13等で封止されてなる照明装置10が構成される。
【００６１】
なお、上記の照明装置10は、複数の発光装置１を直線状に配列した線発光の照明装置であるが、これに限らず複数の発光装置１を格子状または千鳥格子状に配列した面発光の照明装置であってもよい。また、実装板11（基部12等）は、平面視で細長い長方形状のものに限らず、平面視で正方形状等の縦横比が小さい四角形状でもよく、円形状または楕円形状等の四角形状以外のものでもよい。例えば、照明装置が陸上生物の飼育されている飼育場の上部に配置されるものであるときに、この飼育場所の形状と同様の形状（外形が小さい相似形状等）の実装板11が用いられてもよい。
【００６２】
また、複数の発光装置１が直線上に配列されて実装された実装板11を含む照明装置が、さらに複数個、他の基板に搭載されてなる照明用モジュールとして、陸上生物の飼育等に利用されてもよい。また、上記の照明装置10およびモジュール等は、は虫類等の生物が生息する環境からの保護材を含むものであってもよい。保護材を含む例としては、例えば微細な砂埃の照明装置10内への入り込みの可能性を低減するためのシーリング材等（図示せず）が、筐体21と蓋体13との間等の所定部位に配置されたものでもよい。また、多湿環境に生息する生物に合わせた多湿環境における環境中の水分の侵入を抑制する吸湿剤等が配置されたものでもよい。また、配線導体に金めっき等のめっき層が被着されたものでもよい。
【００６３】
また、照明装置10に含まれる複数の発光装置１は、それぞれの第１発光素子３Ａおよび第２発光素子３Ｂの割合が互いに同じものでもよく、互いに異なるものでもよい。また、第１発光素子３Ａおよび第２発光素子３Ｂの割合が互いに異なる発光装置１が１つの実装板11に実装されるとき、複数の発光装置１（例えば第１発光素子３Ａが比較的多いものと比較的少ないもの）の位置は、使用される照明環境等に応じて、適宜設定することができる。
【符号の説明】
【００６４】
１  発光装置
２  基体（パッケージ）
３  発光素子
３Ａ  第１発光素子
３Ｂ  第２発光素子
４  枠体
５  封止部材
６  被覆材
７  蛍光体
７ａ  第１蛍光体
７ｂ  第２蛍光体
７ｃ  第３蛍光体
７ｄ  第４蛍光体
10  照明装置
11  実装板
12  基部
13  蓋体
21  筐体
22  端板
Ｌ１  第１波長領域
Ｌ２  第２波長領域
Ｌ３  第３波長領域
ＬＬ  最大ピーク波長
【図１】
2019175926.tif 000003
【図２】
2019175926.tif 000004
【図３】
2019175926.tif 000005
【図４】
2019175926.tif 000006
【図５】
2019175926.tif 000007
【図６】
2019175926.tif 000008
【図７】
2019175926.tif 000009